(57)【要約】【課題】  回路規模の増大を防ぎ、かつ、無線受信装置の構成に応じて適切に干渉波の影響を低減することが可能な無線受信装置を提供する。【解決手段】  無線受信装置は、少なくとも２つの信号を受信して、受信した信号ごとに配置され、直列接続された複数個の増幅器を含み、受信した信号を低雑音増幅する低雑音増幅部Ｎ１１〜Ｎ１４と、低雑音増幅した信号の周波数成分のうち、所定の周波数帯域外の成分を減衰させるバンドパスフィルタＦ１と、局部発振信号を生成する局部発振器Ｌ１と、減衰後の信号と局部発振信号とを乗算することにより減衰後の信号をＩＦ信号に周波数変換するミキサＭ１と、低雑音増幅部Ｎ１１〜Ｎ１４が対応する受信した信号が希望波または干渉波のいずれであるかに基づいて、低雑音増幅部Ｎ１１〜Ｎ１４が含む各増幅器の電力供給を選択的に停止する制御部ＣＴ３とを備える。【選択図】        図１
2006157860.tif 000002
【特許請求の範囲】
【請求項１】
少なくとも２つの信号を受信する無線受信装置であって、
前記各信号を受信して、前記受信した各信号を出力する受信部と、
前記受信した信号ごとに配置され、直列接続された複数個の増幅器を含み、前記受信した信号を低雑音増幅する低雑音増幅部と、
前記低雑音増幅した信号の周波数成分のうち、所定の周波数帯域外の成分を減衰させるバンドパスフィルタと、
局部発振信号を生成する局部発振器と、
前記減衰後の信号と前記局部発振信号とを乗算することにより前記減衰後の信号をＩＦ信号に周波数変換するミキサと、
少なくとも前記各低雑音増幅部が対応する前記受信した信号が希望波または干渉波のいずれであるかに基づいて、前記各低雑音増幅部が含む前記各増幅器の電力供給を選択的に停止する制御部とを備える無線受信装置。
【請求項２】
前記制御部は、前記各低雑音増幅部のうち、対応する前記受信した信号が干渉波である前記低雑音増幅部の入力側から１段目の増幅器および対応する前記受信した信号が希望波である前記低雑音増幅部が含むすべての増幅器への電力供給を行ない、かつ、対応する前記受信した信号が干渉波である前記低雑音増幅部の入力側から２段目以降の増幅器への電力供給を停止する請求項１記載の無線受信装置。
【請求項３】
前記各低雑音増幅部は、前記直列接続された増幅器をそれぞれ３個以上含む請求項２記載の無線受信装置。
【請求項４】
前記制御部は、前記各低雑音増幅部のうち、対応する前記受信した信号が干渉波である前記低雑音増幅部が含むすべての増幅器への電力供給を停止し、かつ、対応する前記受信した信号が希望波である前記低雑音増幅部が含むすべての増幅器への電力供給を行なう請求項１記載の無線受信装置。
【請求項５】
前記各低雑音増幅部は、前記直列接続された増幅器をそれぞれ２個含む請求項４記載の無線受信装置。
【請求項６】
前記各低雑音増幅部は、出力側から１段目の増幅器を共用し、
前記制御部は、前記共用の増幅器への電力供給を常に行なう請求項１記載の無線受信装置。
【請求項７】
前記制御部は、前記各低雑音増幅部が対応する前記受信した信号がそれぞれ希望波または干渉波のいずれであるか、および前記無線受信装置の構成に基づいて、前記各低雑音増幅部が含む前記各増幅器の電力供給を選択的に停止する請求項１記載の無線受信装置。
【請求項８】
前記制御部は、前記各低雑音増幅部のうち、対応する前記受信した信号が干渉波であり、増幅器を所定値以上含む前記低雑音増幅部の入力側から１段目の増幅器への電力供給を行ない、前記入力側から２段目以降の増幅器への電力供給を停止し、かつ、対応する前記受信した信号が干渉波であり、前記所定値未満の増幅器を含む前記低雑音増幅部のすべての増幅器への電力供給を停止し、かつ、対応する前記受信した信号が希望波である前記低雑音増幅部が含むすべての増幅器への電力供給を行なう請求項７記載の無線受信装置。
【請求項９】
前記制御部は、前記各低雑音増幅部の数が所定値以上の場合には、前記各低雑音増幅部のうち、対応する前記受信した信号が干渉波である前記低雑音増幅部が含むすべての増幅器への電力供給を停止し、かつ、対応する前記受信した信号が希望波である前記低雑音増幅部が含むすべての増幅器への電力供給を行ない、前記各低雑音増幅部の数が前記所定値未満の場合には、前記各低雑音増幅部のうち、対応する前記受信した信号が干渉波である前記低雑音増幅部の入力側から１段目の増幅器および対応する前記受信した信号が希望波である前記低雑音増幅部が含むすべての増幅器への電力供給を行ない、かつ、対応する前記受信した信号が干渉波である前記低雑音増幅部の入力側から２段目以降の増幅器への電力供給を停止する請求項７記載の無線受信装置。
【請求項１０】
少なくとも２つの信号を受信する無線受信装置であって、
前記各信号を受信して、前記受信した各信号を出力する受信部と、
前記受信した信号ごとに配置され、直列接続された複数個の増幅器を含み、前記受信した信号を低雑音増幅する低雑音増幅部と、
前記低雑音増幅した信号の周波数成分のうち、所定の周波数帯域外の成分を減衰させるバンドパスフィルタと、
局部発振信号を生成する局部発振器と、
前記減衰後の信号と前記局部発振信号とを乗算することにより前記減衰後の信号をＩＦ信号に周波数変換するミキサと、
前記受信した信号ごとに前記低雑音増幅部および前記バンドパスフィルタの間に配置され、導通状態または非導通状態となるスイッチと、
前記各スイッチのうち、対応する前記受信した信号が希望波である前記スイッチを導通状態とし、かつ、対応する前記受信した信号が干渉波である前記スイッチを非導通状態とする制御を行なう制御部とを備える無線受信装置。
【請求項１１】
前記スイッチは、１個または直列接続された複数個のダイオードを含む請求項１０記載の無線受信装置。
【請求項１２】
前記無線受信装置は、さらに、
前記各スイッチおよび前記バンドパスフィルタの間に配置され、前記各スイッチから受けた信号を低雑音増幅する増幅器を備える請求項１０記載の無線受信装置。
【請求項１３】
前記無線受信装置は、さらに、
前記バンドパスフィルタおよび前記ミキサの間に配置され、前記ミキサから前記バンドパスフィルタの方向へ漏洩する前記局部発信信号を減衰させるフィルタを備える請求項１または請求項１０記載の無線受信装置。
【請求項１４】
前記フィルタは誘電体フィルタである請求項１３記載の無線受信装置。
【発明の詳細な説明】
【技術分野】
【０００１】
本発明は、無線受信装置に関し、特に、複数の無線送信装置からの信号および複数の偏波の信号を受信する無線受信装置に関する。
【背景技術】
【０００２】
ＬＮＢ（Low Noise Block Down Converter）は、衛星放送受信用アンテナに取り付けられるものであり、無線受信装置の一種である。そして、ＬＮＢは、１２ＧＨｚ帯の微弱電波を衛星から受信し、受信した微弱電波を１ＧＨｚ帯の中間周波数（ＩＦ（Intermediate Frequency）周波数）に周波数変換し、周波数変換した信号を低雑音増幅し、ＤＢＳ（Direct Broadcast Satellite）チューナに、低雑音かつ十分なレベルを有する信号を出力する。ＤＢＳチューナは、同軸ケーブルを介してＬＮＢから受けた信号を内部回路によって処理し、テレビジョン受像機に出力する。
【０００３】
次に、一般的なＬＮＢの構成および動作について説明する。
図１３は、一般的なＬＮＢの機能ブロック図を示す。同図を参照して、このＬＮＢは、受信部Ｓ１と、低雑音増幅部Ｎ１〜低雑音増幅部Ｎ４と、低雑音増幅部Ｎ６と、バンドパスフィルタＦ１と、ミキサＭ１と、局部発振器Ｌ１と、コンデンサＣ１と、出力端子Ｔ５と、制御回路ＣＴ１と、電源回路Ｒ１とを含む。
【０００４】
受信部Ｓ１は、ホーン部Ｈ１と、ホーン部Ｈ２とを含む。
ホーン部Ｈ１は、入力端子Ｔ１および入力端子Ｔ２を含む。また、ホーン部Ｈ２は、入力端子Ｔ３および入力端子Ｔ４を含む。
【０００５】
低雑音増幅部Ｎ１〜低雑音増幅部Ｎ４は、それぞれ１個の増幅器を含む。また、低雑音増幅部Ｎ６は、直列接続された２個の増幅器を含む。
【０００６】
ホーン部Ｈ１およびホーン部Ｈ２は、それぞれ異なる衛星から出力された信号を受信する。
【０００７】
また、各衛星から出力された信号には、Ｈ偏波およびＶ偏波という２種類の偏波が存在する。このため、各ホーン部は、両偏波の信号を受信するための２個の入力端子を有し、各入力端子で受信した両偏波の信号を各低雑音増幅部へ出力する。
【０００８】
すなわち、ホーン部Ｈ１は、衛星から出力されたＨ偏波の信号を、入力端子Ｔ１において受信し、低雑音増幅部Ｎ１へ出力する。また、ホーン部Ｈ１は、衛星から出力されたＶ偏波の信号を、入力端子Ｔ２において受信し、低雑音増幅部Ｎ２へ出力する。
【０００９】
ホーン部Ｈ２は、衛星から出力されたＨ偏波の信号を、入力端子Ｔ３において受信し、低雑音増幅部Ｎ３へ出力する。また、ホーン部Ｈ２は、衛星から出力されたＶ偏波の信号を、入力端子Ｔ４において受信し、低雑音増幅部Ｎ４へ出力する。
【００１０】
低雑音増幅部Ｎ１は、入力端子Ｔ１を介してホーン部Ｈ１から受けたＨ偏波の信号を低雑音増幅し、バンドパスフィルタＦ１へ出力する。
【００１１】
低雑音増幅部Ｎ２は、入力端子Ｔ２を介してホーン部Ｈ１から受けたＶ偏波の信号を低雑
音増幅し、バンドパスフィルタＦ１へ出力する。
【００１２】
低雑音増幅部Ｎ３は、入力端子Ｔ３を介してホーン部Ｈ１から受けたＨ偏波の信号を低雑音増幅し、バンドパスフィルタＦ１へ出力する。
【００１３】
低雑音増幅部Ｎ４は、入力端子Ｔ４を介してホーン部Ｈ１から受けたＶ偏波の信号を低雑音増幅し、バンドパスフィルタＦ１へ出力する。
【００１４】
バンドパスフィルタＦ１は、低雑音増幅部Ｎ１〜低雑音増幅部Ｎ４から受けた信号のうち、所定の周波数帯域外の信号を減衰させる。ここで、ホーン部Ｈ１およびホーン部Ｈ２に対応する衛星が出力する信号の中心周波数が異なり、周波数帯域がそれぞれ異なる場合には、減衰させずに通過させる信号の周波数帯域が各信号の周波数帯域を合わせた周波数帯域となるバンドパスフィルタＦ１を配置する。
【００１５】
ミキサＭ１は、バンドパスフィルタＦ１を通過した信号と局部発振器Ｌ１から受けた局部発振信号とを乗算することにより、バンドパスフィルタＦ１を通過した信号を中間周波数の信号（以下、ＩＦ信号という。）に周波数変換する。
【００１６】
低雑音増幅部Ｎ６は、ミキサＭ１から受けたＩＦ信号を低雑音増幅し、コンデンサＣ１へ出力する。
【００１７】
コンデンサＣ１は、低雑音増幅部Ｎ６から受けたＩＦ信号の交流成分のみを通過させる。したがって、ＩＦ信号の交流成分が、出力端子Ｔ５から外部回路へ出力される。
【００１８】
電源回路Ｒ１は、低雑音増幅部Ｎ６に常に電力を供給する。また、電源回路Ｒ１は、制御回路ＣＴ１に電力を供給する。また、電源回路Ｒ１は、低雑音増幅部Ｎ１〜低雑音増幅部Ｎ４、ミキサＭ１および局部発振器Ｌ１へ供給するための電力を、制御回路ＣＴ１へ出力する。
【００１９】
制御回路ＣＴ１は、低雑音増幅部Ｎ１〜低雑音増幅部Ｎ４への電力供給の開始および停止を行なう。また、制御回路ＣＴ１は、ミキサＭ１および局部発振器Ｌ１へ常に電源供給を行なう。
【００２０】
ここで、無線受信装置が現在受信すべき信号（以下、希望波信号という）に対して、他の衛星から出力された信号または同じ衛星から出力された他の偏波の信号（以下、干渉波信号という）が干渉すると、希望波信号の信号対雑音比等の受信特性が劣化する。したがって、制御回路ＣＴ１は、低雑音増幅部Ｎ１〜低雑音増幅部Ｎ４のうち、干渉波信号に対応する低雑音増幅部への電力供給を停止する。このような構成により、低雑音増幅部Ｎ１〜低雑音増幅部Ｎ４から干渉波信号および希望波信号がバンドパスフィルタＦ１へ出力されて、干渉波信号が希望波信号に干渉し、受信特性が劣化するのを防ぐことができる。
【００２１】
図１４は、他の一般的なＬＮＢの機能ブロック図を示す。同図を参照して、このＬＮＢは、図１３に示すＬＮＢに対して、さらに、バンドパスフィルタＦ２〜バンドパスフィルタＦ４と、ミキサＭ２〜ミキサＭ４と、制御回路ＣＴ２とを含む。このＬＮＢは、各衛星から受信する各偏波の信号を、低雑音増幅部Ｎ１〜低雑音増幅部Ｎ４からそれぞれ別個のバンドパスフィルタおよびミキサを介して、低雑音増幅部Ｎ６に出力する構成である。
【００２２】
電源回路Ｒ１は、制御回路ＣＴ２に電力を供給する。また、電源回路Ｒ１は、低雑音増幅部Ｎ１〜低雑音増幅部Ｎ４、ミキサＭ１〜ミキサＭ４および局部発振器Ｌ１へ供給するための電力を、制御回路ＣＴ２へ出力する。
【００２３】
制御回路ＣＴ２は、低雑音増幅部Ｎ１〜低雑音増幅部Ｎ４およびミキサＭ１〜ミキサＭ４への電力供給の開始および停止を行なう。詳細には、制御回路ＣＴ２は、低雑音増幅部Ｎ１〜低雑音増幅部Ｎ４およびミキサＭ１〜ミキサＭ４のうち、干渉波信号に対応する低雑音増幅部およびミキサへの電力供給を停止する。また、制御回路ＣＴ２は、局部発振器Ｌ１への電力供給を常に行なう。
【００２４】
図１４に示すＬＮＢでは、干渉波信号を各バンドパスフィルタによって減衰させる。そして、干渉波信号に対応する低雑音増幅部およびミキサへの電力供給を停止して、低雑音増幅部およびミキサから出力される干渉波信号のレベルを低減する。このような構成により、受信特性の劣化を防ぐことができる。
【００２５】
また、特許文献１記載の高周波回路および低雑音コンバータでは、ホーン部から信号を受ける低雑音増幅部が、直列接続された２個の増幅器を含む。また、制御回路が、各偏波の２つの低雑音増幅部について、入力側の増幅器はそれぞれ常時オン状態とし、かつ、いずれか一方の低雑音増幅部における出力側の増幅器を選択的にオフ状態とする。
【００２６】
このような構成により、干渉波に対応する低雑音増幅部の初段の増幅器の入力において、増幅器がオフ状態であるために干渉波信号が反射し、受信特性が劣化することを防ぐことができる。
【特許文献１】特開２００３−２８３３５３号公報
【発明の開示】
【発明が解決しようとする課題】
【００２７】
ここでは、ホーン部Ｈ１に対応する衛星から送信されるＨ偏波の信号が希望波信号であると仮定して、干渉波信号が受信特性に影響を与える仕組みについて説明する。この場合、干渉波信号は、ホーン部Ｈ１に対応する衛星から受信するＶ偏波の信号ならびにホーン部Ｈ２に対応する衛星から受信するＨ偏波の信号およびＶ偏波の信号である。
【００２８】
図１３に示すＬＮＢでは、制御回路ＣＴ１は、低雑音増幅部Ｎ１に電力供給を行ない、低雑音増幅部Ｎ２〜低雑音増幅部Ｎ４への電力供給を停止する。低雑音増幅部Ｎ２〜低雑音増幅部Ｎ４はオフ状態であるが、ホーン部Ｈ１およびホーン部Ｈ２から干渉波信号が低雑音増幅部Ｎ２〜低雑音増幅部Ｎ４へ出力されている。低雑音増幅部Ｎ２〜低雑音増幅部Ｎ４はオフ状態である場合は、一般にオン状態の場合よりも入力インピーダンスが非常に大きくなるため、ホーン部Ｈ１およびホーン部Ｈ２から出力された干渉波信号の一部は、低雑音増幅部Ｎ２〜低雑音増幅部Ｎ４において反射される（以下、反射干渉波信号という）。
【００２９】
一方、ホーン部Ｈ１およびホーン部Ｈ２から出力された干渉波信号の他の一部は、低雑音増幅部Ｎ２〜低雑音増幅部Ｎ４を通過する（以下、通過干渉波信号という）。なお、低雑音増幅部Ｎ２〜低雑音増幅部Ｎ４はオフ状態であるため、通過干渉波信号は増幅されず、低雑音増幅部Ｎ２〜低雑音増幅部Ｎ４の有するインピーダンスによって減衰して低雑音増幅部Ｎ２〜低雑音増幅部Ｎ４から出力される。
【００３０】
反射干渉波信号は、低雑音増幅部Ｎ２〜低雑音増幅部Ｎ４の電力供給ラインに漏洩する場合がある。ここで、低雑音増幅部Ｎ２〜低雑音増幅部Ｎ４の電力供給ラインが、低雑音増幅部Ｎ１の主信号ラインに近接または交差する場合には、反射干渉波信号が低雑音増幅部Ｎ１の主信号ラインに漏洩し、受信特性が劣化する。また、低雑音増幅部Ｎ２〜低雑音増幅部Ｎ４の電力供給ラインが、低雑音増幅部Ｎ１の電力供給ラインに近接または交差する場合にも、低雑音増幅部Ｎ１の電力供給ラインを介して反射干渉波信号が低雑音増幅部Ｎ１の主信号ラインに漏洩して、受信特性が劣化する。
【００３１】
また、通過干渉波信号は、低雑音増幅部Ｎ２〜低雑音増幅部Ｎ４からバンドパスフィルタＦ１へ出力され、バンドパスフィルタＦ１の入力において低雑音増幅部Ｎ１から出力される希望波信号に干渉するため、受信特性を劣化させる。
【００３２】
したがって、図１３に示すＬＮＢでは、干渉波によって受信特性が劣化するという問題点がある。
【００３３】
また、図１４に示すＬＮＢでは、無線受信装置が対応する衛星および偏波が増加すると、バンドパスフィルタおよびミキサを新たに配置する必要があり、回路規模が増大するという問題点がある。
【００３４】
また、特許文献１記載のＬＮＢでは、干渉波信号に対応する初段の増幅器を常時オン状態とするため、初段の増幅器において増幅された干渉波信号が後段の増幅器へ出力され、通過干渉波信号のレベルが大きくなってしまう。特に、増幅器の増幅率が大きい無線受信装置においては、反射干渉波信号よりも通過干渉波信号の方が希望波信号に与える影響が大きい。
【００３５】
また、各低雑音増幅部の電力供給ラインにおける反射干渉波信号が、他の低雑音増幅部の主信号ラインまたは電力供給ラインに漏洩しにくいライン（パターン）の引き回しが行なわれている無線受信装置においては、希望波信号の主信号ラインに直接漏洩する通過干渉波信号の方が、反射干渉波信号よりも希望波信号に与える影響が大きい。
【００３６】
また、無線受信装置が複数の衛星に対応する場合には、対応する衛星の数に比例して各低雑音増幅部から出力される通過干渉波信号の合成成分が大きくなり、反射干渉波信号よりも通過干渉波信号の方が希望波信号に与える影響が大きくなる。したがって、特許文献１記載のＬＮＢでは、無線受信装置の構成に応じて適切に干渉波の影響を低減することができないという問題点があった。
【００３７】
それゆえに、本発明の目的は、回路規模の増大を防ぎ、かつ、無線受信装置の構成に応じて適切に干渉波の影響を低減することが可能な無線受信装置を提供することである。
【課題を解決するための手段】
【００３８】
上記課題を解決するために、この発明に係わる無線受信装置は、少なくとも２つの信号を受信する無線受信装置であって、各信号を受信して、受信した各信号を出力する受信部と、受信した信号ごとに配置され、直列接続された複数個の増幅器を含み、受信した信号を低雑音増幅する低雑音増幅部と、低雑音増幅した信号の周波数成分のうち、所定の周波数帯域外の成分を減衰させるバンドパスフィルタと、局部発振信号を生成する局部発振器と、減衰後の信号と局部発振信号とを乗算することにより減衰後の信号をＩＦ信号に周波数変換するミキサと、少なくとも各低雑音増幅部が対応する受信した信号が希望波または干渉波のいずれであるかに基づいて、各低雑音増幅部が含む各増幅器の電力供給を選択的に停止する制御部とを備える。
【００３９】
好ましくは、制御部は、各低雑音増幅部のうち、対応する受信した信号が干渉波である低雑音増幅部の入力側から１段目の増幅器および対応する受信した信号が希望波である低雑音増幅部が含むすべての増幅器への電力供給を行ない、かつ、対応する受信した信号が干渉波である低雑音増幅部の入力側から２段目以降の増幅器への電力供給を停止する。
【００４０】
より好ましくは、各低雑音増幅部は、直列接続された増幅器をそれぞれ３個以上含む。
好ましくは、制御部は、各低雑音増幅部のうち、対応する受信した信号が干渉波である低雑音増幅部が含むすべての増幅器への電力供給を停止し、かつ、対応する受信した信号が希望波である低雑音増幅部が含むすべての増幅器への電力供給を行なう。
【００４１】
より好ましくは、各低雑音増幅部は、直列接続された増幅器をそれぞれ２個含む。
好ましくは、各低雑音増幅部は、出力側から１段目の増幅器を共用し、制御部は、共用の増幅器への電力供給を常に行なう。
【００４２】
好ましくは、制御部は、各低雑音増幅部が対応する受信した信号がそれぞれ希望波または干渉波のいずれであるか、および無線受信装置の構成に基づいて、各低雑音増幅部が含む各増幅器の電力供給を選択的に停止する。
【００４３】
より好ましくは、制御部は、各低雑音増幅部のうち、対応する受信した信号が干渉波であり、増幅器を所定値以上含む低雑音増幅部の入力側から１段目の増幅器への電力供給を行ない、入力側から２段目以降の増幅器への電力供給を停止し、かつ、対応する受信した信号が干渉波であり、所定値未満の増幅器を含む低雑音増幅部のすべての増幅器への電力供給を停止し、かつ、対応する受信した信号が希望波である低雑音増幅部が含むすべての増幅器への電力供給を行なう。
【００４４】
より好ましくは、制御部は、各低雑音増幅部の数が所定値以上の場合には、各低雑音増幅部のうち、対応する受信した信号が干渉波である低雑音増幅部が含むすべての増幅器への電力供給を停止し、かつ、対応する受信した信号が希望波である低雑音増幅部が含むすべての増幅器への電力供給を行ない、各低雑音増幅部の数が所定値未満の場合には、各低雑音増幅部のうち、対応する受信した信号が干渉波である低雑音増幅部の入力側から１段目の増幅器および対応する受信した信号が希望波である低雑音増幅部が含むすべての増幅器への電力供給を行ない、かつ、対応する受信した信号が干渉波である低雑音増幅部の入力側から２段目以降の増幅器への電力供給を停止する。
【００４５】
またこの発明のさらに別の局面に係わる無線受信装置は、少なくとも２つの信号を受信する無線受信装置であって、各信号を受信して、受信した各信号を出力する受信部と、受信した信号ごとに配置され、直列接続された複数個の増幅器を含み、受信した信号を低雑音増幅する低雑音増幅部と、低雑音増幅した信号の周波数成分のうち、所定の周波数帯域外の成分を減衰させるバンドパスフィルタと、局部発振信号を生成する局部発振器と、減衰後の信号と局部発振信号とを乗算することにより減衰後の信号をＩＦ信号に周波数変換するミキサと、受信した信号ごとに低雑音増幅部およびバンドパスフィルタの間に配置され、導通状態または非導通状態となるスイッチと、各スイッチのうち、対応する受信した信号が希望波であるスイッチを導通状態とし、かつ、対応する受信した信号が干渉波であるスイッチを非導通状態とする制御を行なう制御部とを備える。
【００４６】
好ましくは、スイッチは、１個または直列接続された複数個のダイオードを含む。
好ましくは、無線受信装置は、さらに、各スイッチおよびバンドパスフィルタの間に配置され、各スイッチから受けた信号を低雑音増幅する増幅器を備える。
【００４７】
好ましくは、無線受信装置は、さらに、バンドパスフィルタおよびミキサの間に配置され、ミキサからバンドパスフィルタの方向へ漏洩する局部発信信号を減衰させるフィルタを備える。
【００４８】
より好ましくは、フィルタは誘電体フィルタである。
【発明の効果】
【００４９】
本発明によれば、回路規模の増大を防ぎ、かつ、無線受信装置の構成に応じて適切に干渉波の影響を低減することができる。
【発明を実施するための最良の形態】
【００５０】
＜第１の実施の形態＞
本発明の実施の形態について、図面を用いて説明する。
【００５１】
［構成］
図１は、第１の実施の形態に係る無線受信装置の構成を示す機能ブロック図である。同図を参照して、この無線受信装置は、図１３に示す無線受信装置に対して、低雑音増幅部Ｎ１〜低雑音増幅部Ｎ４および制御回路ＣＴ１の代わりに、低雑音増幅部Ｎ１１〜低雑音増幅部Ｎ１４および制御回路ＣＴ３を含む。
【００５２】
低雑音増幅部Ｎ１１は、増幅器Ａ１１および増幅器Ａ１２を含む。また、各増幅器は、低雑音増幅部Ｎ１１の入力側から、増幅器Ａ１１、増幅器Ａ１２の順に直列接続される。
【００５３】
低雑音増幅部Ｎ１２は、増幅器Ａ２１および増幅器Ａ２２を含む。また、各増幅器は、低雑音増幅部Ｎ１２の入力側から、増幅器Ａ２１、増幅器Ａ２２の順に直列接続される。
【００５４】
低雑音増幅部Ｎ１３は、増幅器Ａ３１および増幅器Ａ３２を含む。また、各増幅器は、低雑音増幅部Ｎ１３の入力側から、増幅器Ａ３１、増幅器Ａ３２の順に直列接続される。
【００５５】
低雑音増幅部Ｎ１４は、増幅器Ａ４１および増幅器Ａ４２を含む。また、各増幅器は、低雑音増幅部Ｎ１４の入力側から、増幅器Ａ４１、増幅器Ａ４２の順に直列接続される。
【００５６】
その他の構成は、図１３に示す無線受信装置と同様である。
電源回路Ｒ１は、制御回路ＣＴ３に電力を供給する。また、電源回路Ｒ１は、低雑音増幅部Ｎ１１〜低雑音増幅部Ｎ１４、ミキサＭ１および局部発振器Ｌ１へ供給するための電力を、制御回路ＣＴ３へ出力する。
【００５７】
制御回路ＣＴ３は、低雑音増幅部Ｎ１１〜低雑音増幅部Ｎ１４への電力供給の開始および停止を行なう。また、制御回路ＣＴ３は、ミキサＭ１および局部発振器Ｌ１への電力供給を常に行なう。
【００５８】
次に、制御回路ＣＴ３が行なう電力供給制御（以下、第１の電力供給制御と称する。）について説明する。
【００５９】
制御回路ＣＴ３は、低雑音増幅部Ｎ１１〜低雑音増幅部Ｎ１４のうち、干渉波信号に対応する低雑音増幅部が含むすべての増幅器への電力供給を停止する。また、制御回路ＣＴ３は、希望波信号に対応する低雑音増幅部のすべての増幅器への電力供給を行なう。
【００６０】
ここで、ホーン部Ｈ２に対応する衛星から出力されたＨ偏波の信号が希望波信号であると仮定した場合について説明する。この場合、低雑音増幅部Ｎ１３が希望波信号に対応する低雑音増幅部となり、低雑音増幅部Ｎ１１、低雑音増幅部Ｎ１２および低雑音増幅部Ｎ１４が干渉波信号に対応する低雑音増幅部となる。そうすると、制御回路ＣＴ３は、低雑音増幅部Ｎ１１の増幅器Ａ１１および増幅器Ａ１２、低雑音増幅部Ｎ１２の増幅器Ａ２１および増幅器Ａ２２ならびに低雑音増幅部Ｎ１４の増幅器Ａ４１および増幅器Ａ４２への電力供給を停止する。また、制御回路ＣＴ３は、低雑音増幅部Ｎ１３の増幅器Ａ３１〜増幅器Ａ３３への電力供給を行なう。
【００６１】
低雑音増幅部に含まれる増幅器の数が少ない場合には、オフ状態である低雑音増幅部を通過することによる通過干渉波信号の減衰量が小さい。そうすると、初段の増幅器で増幅された通過干渉波信号の減衰量が小さくなり、通過干渉波信号が希望波信号に与える影響が大きくなる。したがって、制御回路ＣＴ３が、干渉波信号に対応する低雑音増幅部が含む増幅器を初段の増幅器も含めてすべてオフ状態とすることで、反射干渉波信号の低減よりも通過干渉波信号の低減を優先させる。
【００６２】
その他の動作は、図１３に示す無線受信装置と同様である。
ところで、図１３に示すＬＮＢでは、干渉波によって受信特性が劣化するという問題点があった。また、図１４に示すＬＮＢでは、無線受信装置が対応する衛星および偏波が増加すると、バンドパスフィルタおよびミキサを新たに配置する必要があり、回路規模が増大するという問題点があった。
【００６３】
しかしながら、本実施の形態に係る無線受信装置では、低雑音増幅部において増幅器を複数個配置し、制御回路ＣＴ３が各増幅器の電力供給を選択的に停止する電力供給制御を行なうことにより、干渉波信号が希望波信号に与える影響を低減する。さらに、増幅器はフィルタおよびミキサよりも一般に寸法が小さく、また、増幅器を複数個配置するよりもフィルタおよびミキサを配置する方が配線が複雑になる。したがって、本実施の形態に係る無線受信装置では、回路規模の増大を防ぎ、かつ、干渉波の影響を低減することができる。
【００６４】
そして、特許文献１記載のＬＮＢでは、無線受信装置の構成に応じて適切に干渉波の影響を低減することができないという問題点があった。
【００６５】
しかしながら、本実施の形態に係る無線受信装置では、低雑音増幅部に含まれる増幅器の数が２個と少ないため、通過干渉波信号が希望波信号に与える影響が大きくなる。このため、制御回路ＣＴ３が、干渉波信号に対応する低雑音増幅部が含む増幅器を初段の増幅器も含めてすべてオフ状態とすることで、反射干渉波信号の低減よりも通過干渉波信号の低減を優先させる。したがって、本実施の形態に係る無線受信装置では、無線受信装置の構成に応じて適切に干渉波の影響を低減することができる。
【００６６】
＜第２の実施の形態＞
次に、本発明の他の実施の形態について、図面を用いて説明する。
【００６７】
［構成］
図２は、第２の実施の形態に係る無線受信装置の構成を示す機能ブロック図である。同図を参照して、この無線受信装置は、第１の実施の形態に係る無線受信装置に対して、低雑音増幅部Ｎ１１〜低雑音増幅部Ｎ１４の代わりに、低雑音増幅部Ｎ２１〜低雑音増幅部Ｎ２４を含む。
【００６８】
低雑音増幅部Ｎ２１は、増幅器Ａ１１、増幅器Ａ１２および増幅器Ａ１３を含む。また、各増幅器は、低雑音増幅部Ｎ２１の入力側から、増幅器Ａ１１、増幅器Ａ１２、増幅器Ａ１３の順に直列接続される。
【００６９】
低雑音増幅部Ｎ２２は、増幅器Ａ２１、増幅器Ａ２２および増幅器Ａ２３を含む。また、各増幅器は、低雑音増幅部Ｎ２２の入力側から、増幅器Ａ２１、増幅器Ａ２２、増幅器Ａ２３の順に直列接続される。
【００７０】
低雑音増幅部Ｎ２３は、増幅器Ａ３１、増幅器Ａ３２および増幅器Ａ３３を含む。また、各増幅器は、低雑音増幅部Ｎ２３の入力側から、増幅器Ａ３１、増幅器Ａ３２、増幅器Ａ３３の順に直列接続される。
【００７１】
低雑音増幅部Ｎ２４は、増幅器Ａ４１、増幅器Ａ４２および増幅器Ａ４３を含む。また、各増幅器は、低雑音増幅部Ｎ２４の入力側から、増幅器Ａ４１、増幅器Ａ４２、増幅器Ａ４３の順に直列接続される。
【００７２】
電源回路Ｒ１は、低雑音増幅部Ｎ２１〜低雑音増幅部Ｎ２４、ミキサＭ１および局部発振器Ｌ１へ供給するための電力を、制御回路ＣＴ３へ出力する。
【００７３】
制御回路ＣＴ３は、低雑音増幅部Ｎ２１〜低雑音増幅部Ｎ２４への電力供給の開始および停止を行なう。また、制御回路ＣＴ３は、ミキサＭ１および局部発振器Ｌ１への電力供給を常に行なう。
【００７４】
その他の構成は、第１の実施の形態に係る無線受信装置と同様である。
［動作］
次に、制御回路ＣＴ３の電力供給制御について説明する。
【００７５】
次に、制御回路ＣＴ３が行なう電力供給制御（以下、第２の電力供給制御と称する。）について説明する。
【００７６】
制御回路ＣＴ３は、低雑音増幅部Ｎ２１〜低雑音増幅部Ｎ２４に含まれる増幅器のうち、干渉波信号に対応する低雑音増幅部の入力側から２段目以降の増幅器への電力供給を停止する。また、制御回路ＣＴ３は、干渉波信号に対応する低雑音増幅部の入力側から１段目の増幅器および希望波信号に対応する低雑音増幅部のすべての増幅器への電力供給を行なう。
【００７７】
ここで、ホーン部Ｈ２に対応する衛星から出力されたＨ偏波の信号が希望波信号であると仮定した場合について説明する。この場合、低雑音増幅部Ｎ１３が希望波信号に対応する低雑音増幅部となり、低雑音増幅部Ｎ１１、低雑音増幅部Ｎ１２および低雑音増幅部Ｎ１４が干渉波信号に対応する低雑音増幅部となる。そうすると、制御回路ＣＴ３は、低雑音増幅部Ｎ１１の増幅器Ａ１２、低雑音増幅部Ｎ１２の増幅器Ａ２２および低雑音増幅部Ｎ１４の増幅器Ａ４２への電力供給を停止する。また、制御回路ＣＴ３は、低雑音増幅部Ｎ１１の増幅器Ａ１１、低雑音増幅部Ｎ１２の増幅器Ａ２１および低雑音増幅部Ｎ１４の増幅器Ａ４１への電力供給を行なう。また、制御回路ＣＴ３は、低雑音増幅部Ｎ１３の増幅器Ａ３１および増幅器Ａ３２への電力供給を行なう。
【００７８】
低雑音増幅部に含まれる増幅器の数が多い場合には、オフ状態である低雑音増幅部を通過することによる通過干渉波信号の減衰量が大きい。そうすると、初段の増幅器で増幅された通過干渉波信号の減衰量が大きくなり、通過干渉波信号が希望波信号に与える影響が小さくなる。したがって、制御回路ＣＴ３が、干渉波信号に対応する低雑音増幅部が含む増幅器のうち、初段の増幅器のみをオン状態とすることで、２段目以降の増幅器の減衰効果によって通過干渉波信号の増幅による影響を抑制しつつ、反射干渉波信号を低減する。
【００７９】
すなわち、初段の増幅器をオン状態にすると、反射干渉波信号が２段目の増幅器の入力において発生する。ここで、オン状態である増幅器の出力から入力への信号経路のインピーダンスは一般に大きいことから、初段の増幅器の入力に伝わる反射干渉波信号のレベルは小さくなる。したがって、他の回路との距離が近く、また、他の回路へのラインがより多く接続されている初段の増幅器から出力される反射干渉波信号のレベルを小さくすることができ、反射干渉波信号が希望波信号に与える影響を低減することができる。
【００８０】
その他の動作は、第１の実施の形態に係る無線受信装置と同様である。
ところで、特許文献１記載のＬＮＢでは、無線受信装置の構成に応じて適切に干渉波の影響を低減することができないという問題点があった。
【００８１】
しかしながら、本実施の形態に係る無線受信装置では、低雑音増幅部に含まれる増幅器の数が３個と多いため、通過干渉波信号が希望波信号に与える影響が小さくなる。このため、制御回路ＣＴ３が、干渉波信号に対応する低雑音増幅部が含む増幅器のうち、初段の増幅器のみをオン状態とすることで、２段目以降の増幅器の減衰効果によって通過干渉波信号の増幅による影響を抑制しつつ、反射干渉波信号を低減する。したがって、本実施の形態に係る無線受信装置では、無線受信装置の構成に応じて適切に干渉波の影響を低減することができる。
【００８２】
以上より、本実施の形態に係る無線受信装置では、第１の実施の形態に係る無線受信装置と同様に、回路規模の増大を防ぎ、かつ、無線受信装置の構成に応じて適切に干渉波の影響を低減することができる。
【００８３】
＜第３の実施の形態＞
次に、本発明の他の実施の形態について、図面を用いて説明する。本実施の形態は、各低雑音増幅部が含む増幅器の数が異なる構成であり、かつ、第１の実施の形態および第２の実施の形態における制御部ＣＴ３の電力供給制御を変更した制御部を備える無線受信装置に関する。
【００８４】
［構成］
図３は、第３の実施の形態に係る無線受信装置の構成を示す機能ブロック図である。同図を参照して、この無線受信装置は、第１の実施の形態に係る無線受信装置に対して、低雑音増幅部Ｎ１１〜低雑音増幅部Ｎ１４および制御回路ＣＴ３の代わりに、低雑音増幅部Ｎ３１〜低雑音増幅部Ｎ３４および制御回路ＣＴ４を含む。
【００８５】
低雑音増幅部Ｎ３１は、増幅器Ａ１１および増幅器Ａ１２を含む。また、各増幅器は、低雑音増幅部Ｎ３１の入力側から、増幅器Ａ１１、増幅器Ａ１２の順に直列接続される。
【００８６】
低雑音増幅部Ｎ３２は、増幅器Ａ２１および増幅器Ａ２２を含む。また、各増幅器は、低雑音増幅部Ｎ３２の入力側から、増幅器Ａ２１、増幅器Ａ２２の順に直列接続される。
【００８７】
低雑音増幅部Ｎ３３は、増幅器Ａ３１〜増幅器Ａ３４を含む。また、各増幅器は、低雑音増幅部Ｎ３３の入力側から、増幅器Ａ３１〜増幅器Ａ３４の順に直列接続される。
【００８８】
低雑音増幅部Ｎ３４は、増幅器Ａ４１〜増幅器Ａ４４を含む。また、各増幅器は、低雑音増幅部Ｎ３４の入力側から、増幅器Ａ４１〜増幅器Ａ４４の順に直列接続される。
【００８９】
電源回路Ｒ１は、制御回路ＣＴ４に電力を供給する。また、電源回路Ｒ１は、低雑音増幅部Ｎ３１〜低雑音増幅部Ｎ３４、ミキサＭ１および局部発振器Ｌ１へ供給するための電力を、制御回路ＣＴ４へ出力する。
【００９０】
その他の構成は、第１の実施の形態に係る無線受信装置と同様である。
［動作］
次に、制御回路ＣＴ４の電力供給制御について説明する。
【００９１】
制御回路ＣＴ４は、低雑音増幅部Ｎ３１〜低雑音増幅部Ｎ３４への電力供給の開始および停止を行なう。また、制御回路ＣＴ４は、ミキサＭ１および局部発振器Ｌ１への電力供給を常に行なう。
【００９２】
制御回路ＣＴ４は、低雑音増幅部Ｎ３１〜Ｎ３４が希望波信号または干渉波信号のいずれに対応するか、および各低雑音増幅部に含まれる増幅器の数に基づいて第１の電力供給制御および第２の電力供給制御を切り替える。
【００９３】
ここで、制御回路ＣＴ４は、製造者のスイッチ設定等によって各低雑音増幅部に含まれる増幅器の数を認識する。また、制御回路ＣＴ４は、各低雑音増幅部に含まれる増幅器の実装状態を自動的に検出して、各低雑音増幅部に含まれる増幅器の数を認識することも可能である。
【００９４】
まず、制御回路ＣＴ４は、希望波信号に対応する低雑音増幅部が含むすべての増幅器への電力供給を行なう。そして、制御回路ＣＴ４は、干渉波信号に対応し、３個未満の増幅器を含む低雑音増幅部には、前述の第１の電力供給制御を行なう。一方、制御回路ＣＴ４は、干渉波信号に対応し、３個以上の増幅器を含む低雑音増幅部には、前述の第２の電力供給制御を行なう。
【００９５】
ここで、ホーン部Ｈ２に対応する衛星から出力されたＨ偏波の信号が希望波信号であると仮定した場合について説明する。この場合、低雑音増幅部Ｎ３３が希望波信号に対応する低雑音増幅部となり、低雑音増幅部Ｎ３１、低雑音増幅部Ｎ３２および低雑音増幅部Ｎ３４が干渉波信号に対応する低雑音増幅部となる。
【００９６】
そうすると、制御回路ＣＴ４は、低雑音増幅部Ｎ３４の増幅器Ａ４２〜増幅器Ａ４４への電力供給を停止する。また、制御回路ＣＴ４は、低雑音増幅部Ｎ３４の増幅器Ａ４１への電力供給を行なう。また、制御回路ＣＴ４は、低雑音増幅部Ｎ３１の増幅器Ａ１１および増幅器Ａ１２ならびに低雑音増幅部Ｎ３２の増幅器Ａ２１および増幅器Ａ２２への電力供給を停止する。また、制御回路ＣＴ４は、低雑音増幅部Ｎ３３の増幅器Ａ３１〜増幅器Ａ３４への電力供給を行なう。
【００９７】
以上のように、制御回路ＣＴ４は、希望波信号に対応する低雑音増幅部が含むすべての増幅器への電力供給を行なう。
【００９８】
なお、ここでは制御回路ＣＴ４が第１の電力供給制御および第２の電力供給制御を切り替える基準となる増幅器の数を３個としたが、これに限定するものでなく、最良の受信特性が得られる値を実験によって特定し、その値を制御回路ＣＴ４が第１の電力供給制御および第２の電力供給制御を切り替える基準値とすることも可能である。
【００９９】
その他の動作は、第１の実施の形態に係る無線受信装置と同様である。
ところで、特許文献１記載のＬＮＢでは、無線受信装置の構成に応じて適切に干渉波の影響を低減することができないという問題点があった。
【０１００】
しかしながら、本実施の形態に係る無線受信装置では、制御回路ＣＴ４が、低雑音増幅部に含まれる増幅器の数に応じて通過干渉波信号の低減効果の大きい第１の電力供給制御および反射干渉波信号の低減効果の大きい第２の電力供給制御を切り替える。したがって、本実施の形態に係る無線受信装置では、無線受信装置の構成に応じて適切に干渉波の影響を低減することができる。
【０１０１】
以上より、本実施の形態に係る無線受信装置では、第１の実施の形態に係る無線受信装置と同様に、回路規模の増大を防ぎ、かつ、無線受信装置の構成に応じて適切に干渉波の影響を低減することができる。
【０１０２】
＜第４の実施の形態＞
次に、本発明の他の実施の形態について、図面を用いて説明する。
【０１０３】
図４は、第４の実施の形態に係る無線受信装置の構成を示す機能ブロック図である。同図を参照して、この無線受信装置は、第１の実施の形態に係る無線受信装置に対して、さらに、低雑音増幅部Ｎ５を含む。
【０１０４】
低雑音増幅部Ｎ５は、増幅器Ａ５１を含む。低雑音増幅部Ｎ５は、低雑音増幅部Ｎ１１〜低雑音増幅部Ｎ１４から受けた信号を低雑音増幅し、バンドパスフィルタＦ１へ出力する。
【０１０５】
電源回路Ｒ１は、低雑音増幅部Ｎ１１〜低雑音増幅部Ｎ１４、低雑音増幅部Ｎ５、ミキサＭ１および局部発振器Ｌ１へ供給するための電力を、制御回路ＣＴ３へ出力する。
【０１０６】
制御回路ＣＴ３は、低雑音増幅部Ｎ１１〜低雑音増幅部Ｎ１４への電力供給の開始および停止を行なう。また、制御回路ＣＴ３は、低雑音増幅部Ｎ５、ミキサＭ１および局部発振器Ｌ１への電力供給を常に行なう。
【０１０７】
その他の構成および動作は、第１の実施の形態に係る無線受信装置と同様である。
したがって、本実施の形態に係る無線受信装置では、電力供給切替制御が行なわれる低雑音増幅部Ｎ１〜低雑音増幅部Ｎ４の出力を結合し、結合された出力を低雑音増幅部Ｎ５によって低雑音増幅することにより、さらに低雑音かつ高レベルの希望波信号を得ることができる。
【０１０８】
また、本実施の形態に係る無線受信装置では、第１の実施の形態に係る無線受信装置と同様に、回路規模の増大を防ぎ、かつ、無線受信装置の構成に応じて適切に干渉波の影響を低減することができる。
【０１０９】
＜第５実施の形態＞
次に、本発明の他の実施の形態について、図面を用いて説明する。
【０１１０】
図５は、第５の実施の形態に係る無線受信装置の構成を示す機能ブロック図である。同図を参照して、この無線受信装置は、第１の実施の形態に係る無線受信装置に対して、バンドパスフィルタＦ１の代わりに、バンドパスフィルタＦ２およびバンドパスフィルタＦ３を含む。
【０１１１】
バンドパスフィルタＦ２は、ホーン部Ｈ１から出力される信号に対応する低雑音増幅部Ｎ１１および低雑音増幅部Ｎ１２の出力と接続される。また、バンドパスフィルタＦ２は、ホーン部Ｈ１に対応する衛星が出力する信号の周波数帯域外の信号を減衰させる。
【０１１２】
バンドパスフィルタＦ３は、ホーン部Ｈ２から出力される信号に対応する低雑音増幅部Ｎ１３および低雑音増幅部Ｎ１４の出力と接続される。また、バンドパスフィルタＦ３は、ホーン部Ｈ２に対応する衛星が出力する信号の周波数帯域外の信号を減衰させる。
【０１１３】
その他の構成および動作は、第１の実施の形態に係る無線受信装置と同様である。
前述のように、ホーン部Ｈ１およびホーン部Ｈ２に対応する衛星が出力する信号の周波数帯域がそれぞれ異なる場合には、第１の実施の形態に係る無線受信装置では、減衰させずに通過させる信号の周波数帯域が各信号の周波数帯域を合わせた周波数帯域となるバンドパスフィルタＦ１を配置する必要がある。しかしながら、本実施の形態に係る無線受信装置では、各衛星から出力される信号の周波数帯域に個別に対応した、より狭い周波数帯域を通過させるバンドパスフィルタＦ２およびバンドパスフィルタＦ３を配置することができ、干渉波の低減をさらに図ることができる。
【０１１４】
また、本実施の形態に係る無線受信装置では、第１の実施の形態に係る無線受信装置と同様に、回路規模の増大を防ぎ、かつ、無線受信装置の構成に応じて適切に干渉波の影響を低減することができる。
【０１１５】
＜第６の実施の形態＞
次に、本発明の他の実施の形態について、図面を用いて説明する。
【０１１６】
［構成］
図６は、第６の実施の形態に係る無線受信装置の構成を示す機能ブロック図である。同図を参照して、この無線受信装置は、第１の実施の形態に係る無線受信装置に対して、さらに、局部発振器Ｌ２を含む。
【０１１７】
局部発振器Ｌ１および局部発振器Ｌ２の出力の接続点に、ミキサＭ１が接続される。
局部発振器Ｌ１および局部発振器Ｌ２は、ホーン部Ｈ１およびホーン部Ｈ２に対応する衛星が出力する信号の周波数に対応した、それぞれ異なる周波数の局部発振信号を出力する。
【０１１８】
電源回路Ｒ１は、低雑音増幅部Ｎ１１〜低雑音増幅部Ｎ１４、ミキサＭ１、局部発振器Ｌ１および局部発振器Ｌ２へ供給するための電力を、制御回路ＣＴ３へ出力する。
【０１１９】
制御回路ＣＴ３は、低雑音増幅部Ｎ１１〜低雑音増幅部Ｎ１４への電力供給の開始および停止を行なう。また、制御回路ＣＴ３は、ミキサＭ１への電力供給を常に行なう。
【０１２０】
制御回路ＣＴ３は、ホーン部１またはホーン部２のいずれが希望波信号に対応するかに応じて局部発振器Ｌ１および局部発振器Ｌ２への電力供給の開始および停止を切り替えることにより、ミキサＭ１へ出力する局部発振信号を切り替える。
【０１２１】
その他の構成および動作は、第１の実施の形態に係る無線受信装置と同様である。
したがって、本実施の形態に係る無線受信装置では、ホーン部Ｈ１およびホーン部Ｈ２に対応する衛星が出力する信号の周波数帯域がそれぞれ異なる場合に、ミキサＭ１の出力するＩＦ信号の周波数を同一にすることができる。また、ホーン部Ｈ１およびホーン部Ｈ２に対応する衛星が出力する信号の周波数が同一の場合に、ホーン部１またはホーン部２のいずれが希望波信号に対応するかに応じてミキサＭ１の出力するＩＦ信号の周波数を変更することができる。
【０１２２】
また、本実施の形態に係る無線受信装置では、第１の実施の形態に係る無線受信装置と同様に、回路規模の増大を防ぎ、かつ、無線受信装置の構成に応じて適切に干渉波の影響を低減することができる。
【０１２３】
＜第７の実施の形態＞
次に、本発明の他の実施の形態について、図面を用いて説明する。
【０１２４】
［構成］
図７は、第７の実施の形態に係る無線受信装置の構成を示す機能ブロック図である。同図を参照して、この無線受信装置は、第１の実施の形態に係る無線受信装置に対して、制御回路ＣＴ３の代わりに制御回路ＣＴ５を含む。また、この無線受信装置は、第１の実施の形態に係る無線受信装置に対して、さらに、スイッチＳＷ１〜スイッチＳＷ４を含む。
【０１２５】
低雑音増幅部Ｎ１１は、入力端子Ｔ１を介してホーン部Ｈ１から受けたＨ偏波の信号を低雑音増幅し、スイッチＳＷ１へ出力する。
【０１２６】
低雑音増幅部Ｎ１２は、入力端子Ｔ２を介してホーン部Ｈ１から受けたＶ偏波の信号を低雑
音増幅し、スイッチＳＷ２へ出力する。
【０１２７】
低雑音増幅部Ｎ１３は、入力端子Ｔ３を介してホーン部Ｈ１から受けたＨ偏波の信号を低雑音増幅し、スイッチＳＷ３へ出力する。
【０１２８】
低雑音増幅部Ｎ１４は、入力端子Ｔ４を介してホーン部Ｈ１から受けたＶ偏波の信号を低雑音増幅し、スイッチＳＷ４へ出力する。
【０１２９】
スイッチＳＷ１〜スイッチＳＷ４は、制御回路ＣＴ５からの制御電圧に基づいて導通状態または非導通状態となる。すなわち、スイッチＳＷ１〜スイッチＳＷ４は導通状態において、低雑音増幅部Ｎ１１〜Ｎ１４から受けた信号をバンドパスフィルタＦ１へ出力する。
【０１３０】
ここで、スイッチＳＷ１〜スイッチＳＷ４の具体例について説明する。スイッチＳＷ１〜スイッチＳＷ４は、２個の直列接続されたダイオードを含む。制御回路ＣＴ５は制御電圧、すなわち、各ダイオードのアノード電圧値およびカソード電圧値を変更する制御を行なうことによってスイッチＳＷ１〜スイッチＳＷ４の導通状態および非導通状態を切り替える。より詳細には、制御回路ＣＴ５は、ダイオードのアノード電圧にカソード電圧よりも大きい電圧を印加することでアノード電圧およびカソード電圧の電圧差を所定の電圧値以上としてダイオードを導通状態とさせる。また、制御回路ＣＴ５は、アノード電圧およびカソード電圧の電圧差を所定の電圧値未満としてダイオードを非導通状態とさせる。なお、ダイオードは１個でもよいし、３個以上でもよい。
【０１３１】
バンドパスフィルタＦ１は、スイッチＳＷ１〜スイッチＳＷ４から受けた信号のうち、所定の周波数帯域外の信号を減衰させる。
【０１３２】
電源回路Ｒ１は、制御回路ＣＴ５に電力を供給する。また、電源回路Ｒ１は、低雑音増幅部Ｎ１１〜低雑音増幅部Ｎ１４、ミキサＭ１および局部発振器Ｌ１へ供給するための電力を、制御回路ＣＴ５へ出力する。また、電源回路Ｒ１は、制御回路ＣＴ５がスイッチＳＷ１〜スイッチＳＷ４へ制御電圧を出力するために必要な電力を、制御回路ＣＴ５へ出力する。
【０１３３】
［動作］
次に、制御回路ＣＴ５が行なう電力供給制御について説明する。
【０１３４】
制御回路ＣＴ５は、低雑音増幅部Ｎ１１〜低雑音増幅部Ｎ１４、ミキサＭ１および局部発振器Ｌ１への電力供給を常に行なう。
【０１３５】
そして、制御回路ＣＴ５は、スイッチを非導通状態とするための制御電圧をスイッチＳＷ１〜スイッチＳＷ４のうちの干渉波信号に対応するスイッチへ出力する。また、制御回路ＣＴ５は、スイッチを導通状態とするための制御電圧をスイッチＳＷ１〜スイッチＳＷ４のうちの希望波信号に対応するスイッチへ出力する。
【０１３６】
ここで、ホーン部Ｈ２に対応する衛星から出力されたＨ偏波の信号が希望波信号であると仮定した場合について説明する。この場合、スイッチＳＷ３が希望波信号に対応するスイッチとなり、スイッチＳＷ１、スイッチＳＷ２およびスイッチＳＷ４が干渉波信号に対応するスイッチとなる。そうすると、制御回路ＣＴ５は、導通状態とするための制御電圧をスイッチＳＷ３へ出力する。また、制御回路ＣＴ５は、非導通状態とするための制御電圧をスイッチＳＷ１、スイッチＳＷ２およびスイッチＳＷ４へ出力する。
【０１３７】
低雑音増幅部が含む増幅器をすべてオン状態とすると、通過干渉波信号が各増幅器によって増幅されてしまうが、増幅された通過干渉波信号は低雑音増幅部の後段のオフ状態であるスイッチによって十分に減衰されてからバンドパスフィルタＦ１へ出力されるため、通過干渉波信号が希望波信号に与える影響が小さくなる。
【０１３８】
また、反射干渉波信号は、入力インピーダンスが非常に高い非導通状態であるスイッチの入力において発生するが、オン状態である増幅器の出力から入力への信号経路のインピーダンスは一般に大きいことから、初段の増幅器の入力に伝わる反射干渉波信号のレベルは小さくなる。したがって、他の回路との距離が近く、また、他の回路へのラインがより多く接続されている初段の増幅器から出力される反射干渉波信号のレベルを小さくすることができ、反射干渉波信号が希望波信号に与える影響を低減することができる。
【０１３９】
その他の構成および動作は、第１の実施の形態に係る無線受信装置と同様である。
ところで、図１３に示すＬＮＢでは、干渉波によって受信特性が劣化するという問題点があった。また、図１４に示すＬＮＢでは、無線受信装置が対応する衛星および偏波が増加すると、バンドパスフィルタおよびミキサを新たに配置する必要があり、回路規模が増大するという問題点があった。
【０１４０】
しかしながら、本実施の形態に係る無線受信装置では、各低雑音増幅部の後段にそれぞれスイッチを配置し、制御回路ＣＴ５が、スイッチを非導通状態とするための制御電圧を干渉波信号に対応するスイッチへ出力することにより、干渉波信号が希望波信号に与える影響を低減する。さらに、スイッチはフィルタおよびミキサよりも一般に寸法が小さく、また、スイッチを複数個配置するよりもフィルタおよびミキサを配置する方が配線が複雑になる。したがって、本実施の形態に係る無線受信装置では、回路規模の増大を防ぎ、かつ、干渉波の影響を低減することができる。
【０１４１】
そして、特許文献１記載のＬＮＢでは、無線受信装置の構成に応じて適切に干渉波の影響を低減することができないという問題点があった。
【０１４２】
しかしながら、本実施の形態に係る無線受信装置では、干渉波信号に対応するスイッチをオフ状態にすることによって通過干渉波信号を十分に減衰することができるため、通過干渉波信号が希望波信号に与える影響が小さくなる。このため、制御回路ＣＴ５が、干渉波信号に対応する低雑音増幅部が含む増幅器をすべてオン状態とすることで、低雑音増幅部においては通過干渉波信号の低減よりも反射干渉波信号の低減を優先させる。したがって、本実施の形態に係る無線受信装置では、無線受信装置の構成に応じて適切に干渉波の影響を低減することができる。
【０１４３】
［第７の実施の形態の変形例］
［構成］
図８は、第７の実施の形態に係る無線受信装置の構成の変形例を示す機能ブロック図である。同図を参照して、この無線受信装置は、第７の実施の形態に係る無線受信装置に対して、低雑音増幅部Ｎ１１〜低雑音増幅部Ｎ１４の代わりに、低雑音増幅部Ｎ２１〜低雑音増幅部Ｎ２４を含む。
【０１４４】
低雑音増幅部Ｎ２１〜低雑音増幅部Ｎ２４の構成については第２の実施の形態に係る無線受信装置と同様である。
【０１４５】
低雑音増幅部Ｎ２１は、入力端子Ｔ１を介してホーン部Ｈ１から受けたＨ偏波の信号を低雑音増幅し、スイッチＳＷ１へ出力する。
【０１４６】
低雑音増幅部Ｎ２２は、入力端子Ｔ２を介してホーン部Ｈ１から受けたＶ偏波の信号を低雑音増幅し、スイッチＳＷ２へ出力する。
【０１４７】
低雑音増幅部Ｎ２３は、入力端子Ｔ３を介してホーン部Ｈ１から受けたＨ偏波の信号を低雑音増幅し、スイッチＳＷ３へ出力する。
【０１４８】
低雑音増幅部Ｎ２４は、入力端子Ｔ４を介してホーン部Ｈ１から受けたＶ偏波の信号を低雑音増幅し、スイッチＳＷ４へ出力する。
【０１４９】
電源回路Ｒ１は、制御回路ＣＴ５に電力を供給する。また、電源回路Ｒ１は、低雑音増幅部Ｎ２１〜低雑音増幅部Ｎ２４、ミキサＭ１および局部発振器Ｌ１へ供給するための電力を、制御回路ＣＴ５へ出力する。また、電源回路Ｒ１は、制御回路ＣＴ５がスイッチＳＷ１〜スイッチＳＷ４へ制御電圧を出力するために必要な電力を、制御回路ＣＴ５へ出力する。
【０１５０】
［動作］
次に、制御回路ＣＴ５が行なう電力供給制御について説明する。
【０１５１】
制御回路ＣＴ５は、第７の実施の形態に係る無線受信装置と同様に、低雑音増幅部Ｎ２１〜低雑音増幅部Ｎ２４、ミキサＭ１および局部発振器Ｌ１への電力供給を常に行なう。
【０１５２】
そして、制御回路ＣＴ５は、第７の実施の形態に係る無線受信装置と同様に、スイッチを非導通状態とするための制御電圧をスイッチＳＷ１〜スイッチＳＷ４のうちの干渉波信号に対応するスイッチへ出力する。また、制御回路ＣＴ５は、スイッチを導通状態とするための制御電圧をスイッチＳＷ１〜スイッチＳＷ４のうちの希望波信号に対応するスイッチへ出力する。
【０１５３】
その他の構成および動作は第７の実施の形態に係る無線受信装置と同様である。
したがって、本変形例に係る無線受信装置では、第７の実施の形態に係る無線受信装置と同様に、回路規模の増大を防ぎ、かつ、無線受信装置の構成に応じて適切に干渉波の影響を低減することができる。
【０１５４】
＜第８の実施の形態＞
次に、本発明の他の実施の形態について、図面を用いて説明する。
【０１５５】
図９は、第８の実施の形態に係る無線受信装置の構成を示す機能ブロック図である。同図を参照して、この無線受信装置は、第７の実施の形態に係る無線受信装置に対して、さらに、低雑音増幅部Ｎ５を含む。
【０１５６】
スイッチＳＷ１〜スイッチＳＷ４は、制御回路ＣＴ５からの制御電圧に基づいて導通状態または非導通状態となる。すなわち、スイッチＳＷ１〜スイッチＳＷ４は導通状態において、低雑音増幅部Ｎ１１〜Ｎ１４から受けた信号を低雑音増幅部Ｎ５へ出力する。
【０１５７】
低雑音増幅部Ｎ５は、増幅器Ａ５１を含む。低雑音増幅部Ｎ５は、スイッチＳＷ１〜スイッチＳＷ４から受けた信号を低雑音増幅し、バンドパスフィルタＦ１へ出力する。
【０１５８】
電源回路Ｒ１は、制御回路ＣＴ５に電力を供給する。また、電源回路Ｒ１は、低雑音増幅部Ｎ１１〜低雑音増幅部Ｎ１４、低雑音増幅部Ｎ５、ミキサＭ１および局部発振器Ｌ１へ供給するための電力を、制御回路ＣＴ５へ出力する。また、電源回路Ｒ１は、制御回路ＣＴ５がスイッチＳＷ１〜スイッチＳＷ４へ制御電圧を出力するために必要な電力を、制御回路ＣＴ５へ出力する。
【０１５９】
制御回路ＣＴ５は、低雑音増幅部Ｎ１１〜低雑音増幅部Ｎ１４、低雑音増幅部Ｎ５、ミキサＭ１および局部発振器Ｌ１への電力供給を常に行なう。
【０１６０】
その他の構成および動作は、第７の実施の形態に係る無線受信装置と同様である。
したがって、本実施の形態に係る無線受信装置では、電力供給切替制御が行なわれる低雑音増幅部Ｎ１〜低雑音増幅部Ｎ４の出力を結合し、結合された出力を低雑音増幅部Ｎ５によって低雑音増幅することにより、さらに低雑音かつ高レベルの希望波信号を得ることができる。
【０１６１】
また、本実施の形態に係る無線受信装置では、第７の実施の形態に係る無線受信装置と同様に、回路規模の増大を防ぎ、かつ、無線受信装置の構成に応じて適切に干渉波の影響を低減することができる。
【０１６２】
＜第９の実施の形態＞
次に、本発明の他の実施の形態について、図面を用いて説明する。
【０１６３】
図１０は、第９の実施の形態に係る無線受信装置の構成を示す機能ブロック図である。同図を参照して、この無線受信装置は、第７の実施の形態に係る無線受信装置に対して、バンドパスフィルタＦ１の代わりに、バンドパスフィルタＦ２およびバンドパスフィルタＦ３を含む。
【０１６４】
バンドパスフィルタＦ２は、ホーン部Ｈ１から出力される信号に対応するスイッチＳＷ１およびスイッチＳＷ２の出力と接続される。また、バンドパスフィルタＦ２は、ホーン部Ｈ１に対応する衛星が出力する信号の周波数帯域外の信号を減衰させる。
【０１６５】
バンドパスフィルタＦ３は、ホーン部Ｈ２から出力される信号に対応するスイッチＳＷ３およびスイッチＳＷ４の出力と接続される。また、バンドパスフィルタＦ３は、ホーン部Ｈ２に対応する衛星が出力する信号の周波数帯域外の信号を減衰させる。
【０１６６】
その他の構成および動作は、第７の実施の形態に係る無線受信装置と同様である。
前述のように、ホーン部Ｈ１およびホーン部Ｈ２に対応する衛星が出力する信号の周波数帯域がそれぞれ異なる場合には、第７の実施の形態に係る無線受信装置では、減衰させずに通過させる信号の周波数帯域が各信号の周波数帯域を合わせた周波数帯域となるバンドパスフィルタＦ１を配置する必要がある。しかしながら、本実施の形態に係る無線受信装置では、各衛星から出力される信号の周波数帯域に個別に対応した、より狭い周波数帯域を通過させるバンドパスフィルタＦ２およびバンドパスフィルタＦ３を配置することができ、干渉波の低減をさらに図ることができる。
【０１６７】
また、本実施の形態に係る無線受信装置では、第７の実施の形態に係る無線受信装置と同様に、回路規模の増大を防ぎ、かつ、無線受信装置の構成に応じて適切に干渉波の影響を低減することができる。
【０１６８】
＜第１０の実施の形態＞
次に、本発明の他の実施の形態について、図面を用いて説明する。
【０１６９】
［構成］
図１１は、第１０の実施の形態に係る無線受信装置の構成を示す機能ブロック図である。同図を参照して、この無線受信装置は、第７の実施の形態に係る無線受信装置に対して、さらに、局部発振器Ｌ２を含む。
【０１７０】
局部発振器Ｌ１および局部発振器Ｌ２の出力の接続点に、ミキサＭ１が接続される。
局部発振器Ｌ１および局部発振器Ｌ２は、ホーン部Ｈ１およびホーン部Ｈ２に対応する衛星が出力する信号の周波数に対応した、それぞれ異なる周波数の局部発振信号を出力する。
【０１７１】
電源回路Ｒ１は、低雑音増幅部Ｎ１１〜低雑音増幅部Ｎ１４、ミキサＭ１、局部発振器Ｌ１および局部発振器Ｌ２へ供給するための電力を、制御回路ＣＴ３へ出力する。また、電源回路Ｒ１は、制御回路ＣＴ５がスイッチＳＷ１〜スイッチＳＷ４へ制御電圧を出力するために必要な電力を、制御回路ＣＴ５へ出力する。
【０１７２】
制御回路ＣＴ５は、低雑音増幅部Ｎ１１〜低雑音増幅部Ｎ１４およびミキサＭ１への電力供給を常に行なう。
【０１７３】
そして、制御回路ＣＴ５は、スイッチを非導通状態とするための制御電圧をスイッチＳＷ１〜スイッチＳＷ４のうちの干渉波信号に対応するスイッチへ出力する。また、制御回路ＣＴ５は、スイッチを導通状態とするための制御電圧をスイッチＳＷ１〜スイッチＳＷ４のうちの希望波信号に対応するスイッチへ出力する。
【０１７４】
制御回路ＣＴ５は、ホーン部１またはホーン部２のいずれが希望波信号に対応するかに応じて局部発振器Ｌ１および局部発振器Ｌ２への電力供給の開始および停止を切り替えることにより、ミキサＭ１へ出力する局部発振信号を切り替える。
【０１７５】
その他の構成および動作は、第７の実施の形態に係る無線受信装置と同様である。
したがって、本実施の形態に係る無線受信装置では、ホーン部Ｈ１およびホーン部Ｈ２に対応する衛星が出力する信号の周波数帯域がそれぞれ異なる場合に、ミキサＭ１の出力するＩＦ信号の周波数を同一にすることができる。また、ホーン部Ｈ１およびホーン部Ｈ２に対応する衛星が出力する信号の周波数が同一の場合に、ホーン部１またはホーン部２のいずれが希望波信号に対応するかに応じてミキサＭ１の出力するＩＦ信号の周波数を変更することができる。
【０１７６】
また、本実施の形態に係る無線受信装置では、第７の実施の形態に係る無線受信装置と同様に、回路規模の増大を防ぎ、かつ、無線受信装置の構成に応じて適切に干渉波の影響を低減することができる。
【０１７７】
＜第１１の実施の形態＞
次に、本発明の他の実施の形態について、図面を用いて説明する。
【０１７８】
［構成］
図１２は、第１１の実施の形態に係る無線受信装置の構成を示す機能ブロック図である。同図を参照して、この無線受信装置は、第１１の実施の形態に係る無線受信装置に対して、さらに、誘電体フィルタＦ１１を含む。
【０１７９】
誘電体フィルタＦ１１は、局部発振器Ｌ１および局部発振器Ｌ２の局部発信信号の周波数において非常に急峻な減衰特性を有する。すなわち、誘電体フィルタＦ１１は、バンドパスフィルタＦ１を通過した信号のうち、局部発振器Ｌ１および局部発振器Ｌ２が出力する局部発信信号の周波数における信号を減衰させる。なお、誘電体フィルタＦ１１の代わりに、所定の周波数における信号を減衰させる特性を有する他のフィルタを用いてもよい。
【０１８０】
ミキサＭ１は、誘電体フィルタＦ１１を通過した信号と局部発振器Ｌ１または局部発振器Ｌ２から受けた局部発振信号とを乗算することにより、バンドパスフィルタＦ１を通過した信号をＩＦ信号に周波数変換する。
【０１８１】
その他の構成および動作は、第１１の実施の形態に係る無線受信装置と同様である。
ここで、局部発振器Ｌ１および局部発振器Ｌ２が出力する局部発信信号の周波数が、衛星から出力される信号の周波数帯域に近い周波数である場合には、ミキサＭ１からバンドパスフィルタＦ１の方向へ漏洩する局部発信信号をバンドパスフィルタＦ１で減衰させることができず、ホーン部Ｈ１およびホーン部Ｈ２から局部発信信号が漏洩してしまい、干渉等の問題を起こす原因となる。
【０１８２】
したがって、本実施の形態に係る無線受信装置では、ミキサＭ１からバンドパスフィルタＦ１の方向へ漏洩する局部発信信号を誘電体フィルタＦ１１で減衰させることにより、ホーン部Ｈ１およびホーン部Ｈ２へ局部発信信号が漏洩することを防ぐことができる。
【０１８３】
また、本実施の形態に係る無線受信装置では、第７の実施の形態に係る無線受信装置と同様に、回路規模の増大を防ぎ、かつ、無線受信装置の構成に応じて適切に干渉波の影響を低減することができる。
【０１８４】
なお、本実施の形態に係る無線受信装置は、局部発振器Ｌ１および局部発振器Ｌ２を備え、かつ、誘電体フィルタＦ１１は、局部発振器Ｌ１および局部発振器Ｌ２の局部発信信号の周波数において非常に急峻な減衰特性を有する構成としたが、これに限定するものではない。本実施の形態に係る無線受信装置が局部発信器Ｌ２を備えず、かつ、誘電体フィルタＦ１１が、局部発振器Ｌ１の局部発信信号の周波数において非常に急峻な減衰特性を有する構成とすることができる。
【０１８５】
また、本実施の形態に係る無線受信装置は、スイッチＳＷ１〜スイッチＳＷ４を備える構成としたが、これに限定するものではない。第１の実施の形態に係る無線受信装置と同様に、無線受信装置がスイッチＳＷ１〜スイッチＳＷ４を備えず、制御回路が各低雑音増幅部が含む各増幅器の電力供給を選択的に停止する電力供給制御を行なう構成であればよい。
【０１８６】
これらの構成であっても、ミキサＭ１からバンドパスフィルタＦ１へ漏洩する局部発信信号を誘電体フィルタＦ１１で減衰させることにより、ホーン部Ｈ１およびホーン部Ｈ２へ局部発信信号が漏洩することを防ぐことができる。
【０１８７】
［変形例］
本発明は、上記実施の形態に限定されるものではなく、たとえば以下の変形例も含まれる。
【０１８８】
〔変形例１〕
本発明の第１の実施の形態に係る無線受信装置では、制御回路ＣＴ３が第１の電力供給制御を行ない、第２の実施の形態に係る無線受信装置では、制御回路ＣＴ３が第２の電力供給制御を行なう構成としたが、これに限定するものではない。
【０１８９】
本発明の実施の形態に係る無線受信装置が設置される周辺環境および実験結果に基づいて、第１の電力供給制御および第２の電力供給制御のいずれを行なうかを製造者または保守者が制御回路ＣＴ３に設定することができる。
【０１９０】
〔変形例２〕
本発明の第２の実施の形態に係る無線受信装置における各低雑音増幅部はいずれも増幅器を３個含む構成としたが、これに限定するものではない。各低雑音増幅部が増幅器をそれぞれ４個以上含む構成とすることができる。
【０１９１】
〔変形例３〕
本発明の第３の実施の形態に係る無線受信装置における制御回路ＣＴ４は、低雑音増幅部Ｎ１１〜Ｎ１４が希望波信号または干渉波信号のいずれに対応するか、および各低雑音増幅部に含まれる増幅器の数に基づいて第１の電力供給制御および第２の電力供給制御を切り替える構成としたが、これに限定するものではない。制御回路ＣＴ４が、低雑音増幅部Ｎ３１〜Ｎ３４が希望波信号または干渉波信号のいずれに対応するか、および無線受信装置の備える低雑音増幅部の数に基づいて第１の電力供給制御および第２の電力供給制御を切り替える構成とすることができる。
【０１９２】
すなわち、制御回路ＣＴ４は、無線受信装置の備える低雑音増幅部の数が所定値以上の場合には、干渉波信号に対応する低雑音増幅部に対して第２の電力供給制御を行なう。
【０１９３】
低雑音増幅部の数が多い場合には、各低雑音増幅部から出力される通過干渉波信号の合成成分が大きくなる。そうすると、通過干渉波信号が希望波信号に与える影響が大きくなる。したがって、制御回路ＣＴ４は、干渉波信号に対応する低雑音増幅部が含む増幅器を初段の増幅器も含めてすべてオフ状態とすることで、反射干渉波信号の低減よりも通過干渉波信号の低減を優先させる。
【０１９４】
一方、制御回路ＣＴ４は、無線受信装置の備える低雑音増幅部の数が所定値未満の場合には、干渉波信号に対応する低雑音増幅部に対して第１の電力供給制御を行なう。
【０１９５】
低雑音増幅部の数が少ない場合には、各低雑音増幅部から出力される通過干渉波信号の合成成分は小さい。そうすると、通過干渉波信号が希望波信号に与える影響が小さい。したがって、制御回路ＣＴ４は、干渉波信号に対応する低雑音増幅部が含む増幅器のうち、初段の増幅器のみをオン状態とすることで、２段目以降の増幅器の減衰効果によって通過干渉波信号の増幅による影響を抑制しつつ、反射干渉波信号を低減する。
【０１９６】
このように、制御回路ＣＴ４が、低雑音増幅部の数に応じて通過干渉波信号の低減効果の大きい第１の電力供給制御および反射干渉波信号の低減効果の大きい第２の電力供給制御を切り替える。したがって、無線受信装置の構成に応じて適切に干渉波の影響を低減することができる。
【０１９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９８】
【図１】第１の実施の形態に係る無線受信装置の構成を示す機能ブロック図である。
【図２】第２の実施の形態に係る無線受信装置の構成を示す機能ブロック図である。
【図３】第３の実施の形態に係る無線受信装置の構成を示す機能ブロック図である。
【図４】第４の実施の形態に係る無線受信装置の構成を示す機能ブロック図である。
【図５】第５の実施の形態に係る無線受信装置の構成を示す機能ブロック図である。
【図６】第６の実施の形態に係る無線受信装置の構成を示す機能ブロック図である。
【図７】第７の実施の形態に係る無線受信装置の構成を示す機能ブロック図である。
【図８】第７の実施の形態に係る無線受信装置の構成の変形例を示す機能ブロック図である。
【図９】第８の実施の形態に係る無線受信装置の構成を示す機能ブロック図である。
【図１０】第９の実施の形態に係る無線受信装置の構成を示す機能ブロック図である。
【図１１】第１０の実施の形態に係る無線受信装置の構成を示す機能ブロック図である。
【図１２】第１１の実施の形態に係る無線受信装置の構成を示す機能ブロック図である。
【図１３】一般的なＬＮＢの機能ブロック図である。
【図１４】一般的なＬＮＢの機能ブロック図である。
【符号の説明】
【０１９９】
Ｓ１  受信部、Ｎ１〜Ｎ６，Ｎ１１〜Ｎ１４，Ｎ２１〜Ｎ２４，Ｎ３１〜Ｎ３４  低雑音増幅部、Ａ１１〜Ａ１３，Ａ２１〜Ａ２３，Ａ３１〜Ａ３４，Ａ４１〜Ａ４４  増幅器、Ｆ１〜Ｆ４  バンドパスフィルタ、Ｍ１〜Ｍ４  ミキサ、Ｌ１  局部発振器、Ｃ１  コンデンサ、Ｔ１〜Ｔ４  入力端子、Ｔ５  出力端子、ＣＴ１〜ＣＴ４  制御回路、Ｒ１  電源回路、Ｈ１，Ｈ２  ホーン部、ＳＷ１〜ＳＷ４  スイッチ、Ｆ１１  誘電体フィルタ。
【図１】
2006157860.tif 000003
【図２】
2006157860.tif 000004
【図３】
2006157860.tif 000005
【図４】
2006157860.tif 000006
【図５】
2006157860.tif 000007
【図６】
2006157860.tif 000008
【図７】
2006157860.tif 000009
【図８】
2006157860.tif 000010
【図９】
2006157860.tif 000011
【図１０】
2006157860.tif 000012
【図１１】
2006157860.tif 000013
【図１２】
2006157860.tif 000014
【図１３】
2006157860.tif 000015
【図１４】
2006157860.tif 000016